(57)【要約】【課題】端末装置に表示されるホーム画面を復元する際に復元感の向上を図ること。【解決手段】ホーム画面を表示する表示部と、情報記憶媒体に記憶された情報を該情報記憶媒体から取得する情報取得部２１と、該取得された情報に対応するホーム画面の画面構成情報の記録データを取得する記録データ取得部２２と、該取得された記録データに含まれる各アプリケーションのアイコンのホーム画面における位置を示すアイコン位置情報に基づいて、自端末装置にインストールされていないアプリケーションである未インストールアプリケーションのアイコンを、当該未インストールアプリケーションに対応するアイコン位置情報で示される位置に配置したホーム画面を構成するホーム画面構成部２３と、を備える。【選択図】図３
2017050808.tif 000002
【特許請求の範囲】
【請求項１】
ホーム画面を表示する表示部と、
情報記憶媒体に記憶された情報を前記情報記憶媒体から取得する情報取得部と、
前記情報取得部により取得された前記情報に対応する前記ホーム画面の画面構成情報の記録データを取得する記録データ取得部と、
前記記録データ取得部により取得された前記記録データに含まれる各アプリケーションのアイコンの前記ホーム画面における位置を示すアイコン位置情報に基づいて、自端末装置にインストールされていないアプリケーションである未インストールアプリケーションのアイコンを、当該未インストールアプリケーションに対応する前記アイコン位置情報で示される位置に配置した前記ホーム画面を構成するホーム画面構成部と、
を備える端末装置。
【請求項２】
前記記録データは、外部の装置に記憶されており、
前記記録データ取得部は、前記外部の装置と通信して前記外部の装置から前記記録データを取得する、
請求項１に記載の端末装置。
【請求項３】
前記ホーム画面構成部により構成される前記ホーム画面を前記表示部により表示するか否かの指示を受け付けるホーム画面表示指示受付部と、
前記ホーム画面表示指示受付部により前記ホーム画面を前記表示部により表示する指示が受け付けられた場合に、前記ホーム画面を前記表示部により表示させるホーム画面表示制御部と、
を備える請求項１または請求項２のいずれか１項に記載の端末装置。
【請求項４】
前記情報記憶媒体と接続する接続部を備え、
前記情報記憶媒体が前記接続部に接続されたことに応じて行われる再起動の処理において、前記情報取得部、前記記録データ取得部、前記ホーム画面構成部および前記表示部が処理を行う、
請求項１から請求項３のいずれか１項に記載の端末装置。
【請求項５】
前記情報記憶媒体が前記接続部から外れた場合に、前記情報取得部により直前に取得された前記情報に基づいて、前記ホーム画面の前記画面構成情報の前記記録データを記憶させる処理を行う記録データ記憶制御部を備える、
請求項４に記載の端末装置。
【請求項６】
前記ホーム画面の前記画面構成情報の前記記録データを記憶させる処理を行うか否かの指示を受け付ける記録データ記憶指示受付部を備え、
前記記録データ記憶制御部は、前記記録データ記憶指示受付部により前記ホーム画面の前記画面構成情報の前記記録データを記憶させる処理を行う指示が受け付けられた場合に、前記ホーム画面の前記画面構成情報の前記記録データを記憶させる処理を行う、
請求項５に記載の端末装置。
【請求項７】
自端末装置のデフォルト画面の画面構成情報を記憶するデフォルト画面情報記憶部と、
前記デフォルト画面情報記憶部に記憶された前記画面構成情報に含まれる各アプリケーションのアイコンの前記デフォルト画面における位置を示すアイコン位置情報に基づいて、前記アイコン位置情報で示される位置に前記アイコン位置情報に対応するアプリケーションのアイコンを配置した前記デフォルト画面を構成するデフォルト画面構成部と、
前記情報記憶媒体が前記接続部から外れた場合に、前記デフォルト画面構成部により構成された前記デフォルト画面を前記表示部により表示させるデフォルト画面表示制御部と、
を備える請求項４から請求項６のいずれか１項に記載の端末装置。
【請求項８】
端末装置の表示部に表示されるホーム画面を構成する画面構成方法において、
情報記憶媒体に記憶された情報を前記情報記憶媒体から取得する情報取得ステップと、
前記情報取得ステップにより取得された前記情報に対応する前記ホーム画面の画面構成情報の記録データを取得する記録データ取得ステップと、
前記記録データ取得ステップにより取得された前記記録データに含まれる各アプリケーションのアイコンの前記ホーム画面における位置を示すアイコン位置情報に基づいて、自端末装置にインストールされていないアプリケーションである未インストールアプリケーションのアイコンを、当該未インストールアプリケーションに対応する前記アイコン位置情報で示される位置に配置した前記ホーム画面を構成するホーム画面構成ステップと、
を含む画面構成方法。
【請求項９】
端末装置の表示部に表示されるホーム画面を構成する処理を行うためのコンピュータプログラムであって、
情報記憶媒体に記憶された情報を前記情報記憶媒体から取得する情報取得機能と、
前記情報取得機能により取得された前記情報に対応する前記ホーム画面の画面構成情報の記録データを取得する記録データ取得機能と、
前記記録データ取得機能により取得された前記記録データに含まれる各アプリケーションのアイコンの前記ホーム画面における位置を示すアイコン位置情報に基づいて、自端末装置にインストールされていないアプリケーションである未インストールアプリケーションのアイコンを、当該未インストールアプリケーションに対応する前記アイコン位置情報で示される位置に配置した前記ホーム画面を構成するホーム画面構成機能と、
をコンピュータに実現させるためのコンピュータプログラム。
【発明の詳細な説明】
【技術分野】
【０００１】
本発明は、端末装置、画面構成方法、及びコンピュータプログラムに関する。
【背景技術】
【０００２】
従来、コンピュータシステムの復元技術として、例えば特許文献１が知られている。この従来技術では、販売者側のコンピュータシステムがユーザに販売したコンピュータシステムのシステム構成を管理しておくことにより、復元時にユーザのコンピュータシステムのシステム構成を認識し、それに対応するソフトウェアを提供している。
【先行技術文献】
【特許文献】
【０００３】
【特許文献１】特開２００８−２６９６３４号公報
【発明の概要】
【発明が解決しようとする課題】
【０００４】
しかし、上述した従来の復元技術では、スマートフォン等の端末装置のホーム画面の復元に対応できない可能性があった。例えば、利用者が所謂機種変更により端末装置を変更する場合に、機種変更後の端末装置に表示されるホーム画面が機種変更前の端末装置に表示されていたホーム画面とは見た目にかなり異なる可能性があった。
【０００５】
本発明は、このような事情を考慮してなされたものであり、端末装置に表示されるホーム画面を復元する際に復元感の向上を図ることができる端末装置、画面構成方法、及びコンピュータプログラムを提供することを課題とする。
【課題を解決するための手段】
【０００６】
（１）本発明の一態様は、ホーム画面を表示する表示部と、情報記憶媒体に記憶された情報を前記情報記憶媒体から取得する情報取得部と、前記情報取得部により取得された前記情報に対応する前記ホーム画面の画面構成情報の記録データを取得する記録データ取得部と、前記記録データ取得部により取得された前記記録データに含まれる各アプリケーションのアイコンの前記ホーム画面における位置を示すアイコン位置情報に基づいて、自端末装置にインストールされていないアプリケーションである未インストールアプリケーションのアイコンを、当該未インストールアプリケーションに対応する前記アイコン位置情報で示される位置に配置した前記ホーム画面を構成するホーム画面構成部と、を備える端末装置である。
（２）本発明の一態様は、上記（１）の端末装置において、前記記録データは、外部の装置に記憶されており、前記記録データ取得部は、前記外部の装置と通信して前記外部の装置から前記記録データを取得する、端末装置である。
（３）本発明の一態様は、上記（１）又は（２）のいずれかの端末装置において、前記ホーム画面構成部により構成される前記ホーム画面を前記表示部により表示するか否かの指示を受け付けるホーム画面表示指示受付部と、前記ホーム画面表示指示受付部により前記ホーム画面を前記表示部により表示する指示が受け付けられた場合に、前記ホーム画面を前記表示部により表示させるホーム画面表示制御部と、を備える端末装置である。
（４）本発明の一態様は、上記（１）から（３）のいずれかの端末装置において、前記情報記憶媒体と接続する接続部を備え、前記情報記憶媒体が前記接続部に接続されたことに応じて行われる再起動の処理において、前記情報取得部、前記記録データ取得部、前記ホーム画面構成部および前記表示部が処理を行う、端末装置である。
（５）本発明の一態様は、上記（４）の端末装置において、前記情報記憶媒体が前記接続部から外れた場合に、前記情報取得部により直前に取得された前記情報に基づいて、前記ホーム画面の前記画面構成情報の前記記録データを記憶させる処理を行う記録データ記憶制御部を備える、端末装置である。
（６）本発明の一態様は、上記（５）の端末装置において、前記ホーム画面の前記画面構成情報の前記記録データを記憶させる処理を行うか否かの指示を受け付ける記録データ記憶指示受付部を備え、前記記録データ記憶制御部は、前記記録データ記憶指示受付部により前記ホーム画面の前記画面構成情報の前記記録データを記憶させる処理を行う指示が受け付けられた場合に、前記ホーム画面の前記画面構成情報の前記記録データを記憶させる処理を行う、端末装置である。
（７）本発明の一態様は、上記（４）から（６）のいずれかの端末装置において、自端末装置のデフォルト画面の画面構成情報を記憶するデフォルト画面情報記憶部と、前記デフォルト画面情報記憶部に記憶された前記画面構成情報に含まれる各アプリケーションのアイコンの前記デフォルト画面における位置を示すアイコン位置情報に基づいて、前記アイコン位置情報で示される位置に前記アイコン位置情報に対応するアプリケーションのアイコンを配置した前記デフォルト画面を構成するデフォルト画面構成部と、前記情報記憶媒体が前記接続部から外れた場合に、前記デフォルト画面構成部により構成された前記デフォルト画面を前記表示部により表示させるデフォルト画面表示制御部と、を備える端末装置である。
【０００７】
（８）本発明の一態様は、端末装置の表示部に表示されるホーム画面を構成する画面構成方法において、情報記憶媒体に記憶された情報を前記情報記憶媒体から取得する情報取得ステップと、前記情報取得ステップにより取得された前記情報に対応する前記ホーム画面の画面構成情報の記録データを取得する記録データ取得ステップと、前記記録データ取得ステップにより取得された前記記録データに含まれる各アプリケーションのアイコンの前記ホーム画面における位置を示すアイコン位置情報に基づいて、自端末装置にインストールされていないアプリケーションである未インストールアプリケーションのアイコンを、当該未インストールアプリケーションに対応する前記アイコン位置情報で示される位置に配置した前記ホーム画面を構成するホーム画面構成ステップと、を含む画面構成方法である。
【０００８】
（９）本発明の一態様は、端末装置の表示部に表示されるホーム画面を構成する処理を行うためのコンピュータプログラムであって、情報記憶媒体に記憶された情報を前記情報記憶媒体から取得する情報取得機能と、前記情報取得機能により取得された前記情報に対応する前記ホーム画面の画面構成情報の記録データを取得する記録データ取得機能と、前記記録データ取得機能により取得された前記記録データに含まれる各アプリケーションのアイコンの前記ホーム画面における位置を示すアイコン位置情報に基づいて、自端末装置にインストールされていないアプリケーションである未インストールアプリケーションのアイコンを、当該未インストールアプリケーションに対応する前記アイコン位置情報で示される位置に配置した前記ホーム画面を構成するホーム画面構成機能と、をコンピュータに実現させるためのコンピュータプログラムである。
【発明の効果】
【０００９】
本発明によれば、端末装置に表示されるホーム画面を復元する際に復元感の向上を図る効果が得られる。
【図面の簡単な説明】
【００１０】
【図１】本発明の一実施形態に係る通信システムの例を示す構成図である。
【図２】本発明の一実施形態に係る端末装置１を示す構成図である。
【図３】図２に示す制御部１１の機能構成図である。
【図４】図２に示す記憶部１２の記憶構成例を示す図である。
【図５】本発明の一実施形態に係る第１のホーム画面復元方法のシーケンスチャートである。
【図６】本発明の一実施形態に係る第２のホーム画面復元方法のシーケンスチャートである。
【図７】本発明の一実施形態に係るホーム画面構成情報記録データ４０の構成例を示す図表である。
【図８】本発明の一実施形態に係るホーム画面の復元の例の説明図である。
【発明を実施するための形態】
【００１１】
以下、図面を参照し、本発明の実施形態について説明する。
図１は、本発明の一実施形態に係る通信システムの例を示す構成図である。図１において、端末装置１は、無線通信ネットワーク２又は無線ＬＡＮ（Local Area Network）７を介して他の装置と通信を行う。無線通信ネットワーク２は通信回線を介してインターネット６と接続する。無線ＬＡＮ７は通信回線を介してインターネット６と接続する。端末装置１は、無線通信ネットワーク２又は無線ＬＡＮ７を介して、無線通信ネットワーク２に接続される情報管理サーバ３及び第１アプリケーション提供サーバ４にアクセスする。端末装置１は、無線通信ネットワーク２又は無線ＬＡＮ７を介して、インターネット６に接続される第２アプリケーション提供サーバ５にアクセスする。情報管理サーバ３は、端末装置１に関する情報を管理する。第１アプリケーション提供サーバ４及び第２アプリケーション提供サーバ５は、端末装置１にアプリケーションを供給する。
【００１２】
なお、情報管理サーバ３、第１アプリケーション提供サーバ４及び第２アプリケーション提供サーバ５は、端末装置１から無線通信ネットワーク２又は無線ＬＡＮ７を介してアクセスすることができればよく、上記の図１の構成に限定されない。例えば、情報管理サーバ３、第１アプリケーション提供サーバ４及び第２アプリケーション提供サーバ５のうち、全てが無線通信ネットワーク２に接続されていてもよく、又は、全てがインターネット６に接続されていてもよく、又は、いずれか一つ若しくは二つが無線通信ネットワーク２に接続され残りがインターネット６に接続されていてもよい。
【００１３】
図２は、本発明の一実施形態に係る端末装置１を示す構成図である。図１において、端末装置１は、制御部１１と記憶部１２と通信部１３と操作部１４と表示部１５と接続部１６を備える。これら各部はデータを交換できるように構成される。制御部１１は、メモリ及びＣＰＵ（中央処理装置）を備え、制御部１１の機能を実現するためのコンピュータプログラムをＣＰＵが実行することによりその機能を実現させる。
【００１４】
記憶部１２は、制御部１１のＣＰＵで実行されるコンピュータプログラム及び各種のデータを記憶する。記憶部１２としては、例えば、ハードディスク装置、フラッシュメモリ等の不揮発性のメモリ、ＤＲＡＭ（Dynamic Random Access Memory）等の揮発性のメモリなどが利用可能である。
【００１５】
通信部１３は、無線通信ネットワーク２又は無線ＬＡＮ７を介して、端末装置１の外部の装置と通信を行う。通信部１３は、ＳＩＭ（Subscriber Identity Module）接続部１８を備える。ＳＩＭ接続部１８は、ＳＩＭ１９と接続する。ＳＩＭ接続部１８は、ＳＩＭ１９を着脱可能に構成される。ＳＩＭ接続部１８は、自己に接続されたＳＩＭ１９からデータを読み出す。また、ＳＩＭ接続部１８は、自己に接続されたＳＩＭ１９に対してデータを書き込む。ＳＩＭ１９は情報記憶媒体の例である。
【００１６】
ＳＩＭ１９は、無線通信ネットワーク２を利用するための情報等を記憶している。ＳＩＭ１９は「ＩＭＳＩ（International Mobile Subscriber Identity；国際移動体加入者識別番号）」を記憶している。ＩＭＳＩは、ＳＩＭ１９に関連付けられたネットワーク管理番号である。ＩＭＳＩは、携帯電話番号に対応する。通信部１３は、ＳＩＭ接続部１８に接続されたＳＩＭ１９を使用して、無線通信ネットワーク２を利用する。
【００１７】
操作部１４は、入力デバイスから構成され、利用者の操作に応じたデータ入力を行う。入力デバイスとして、例えば、キーボード、テンキー、マウス、操作ボタンなどが挙げられる。表示部１５は、液晶表示装置等の表示デバイスから構成され、データ表示を行う。なお、表示部１５として、データ入力とデータ表示の両方が可能なタッチパネルを備えてもよい。
【００１８】
接続部１６は、情報記憶媒体１７と接続する。接続部１６は、情報記憶媒体１７を着脱可能に構成される。接続部１６は、自己に接続された情報記憶媒体１７からデータを読み出す。また、接続部１６は、自己に接続された情報記憶媒体１７に対してデータを書き込む。情報記憶媒体１７として、例えば、ＳＤカード等の着脱可能なメモリカードなどが利用可能である。
【００１９】
端末装置１としては、例えば、スマートフォン等の携帯通信端末装置、タブレット型のコンピュータ（タブレットＰＣ）等の携帯型のパーソナルコンピュータなどであってもよい。
【００２０】
図３は、図２に示す制御部１１の機能構成図である。図３において、制御部１１は、情報取得部２１、記録データ取得部２２、ホーム画面構成部２３、ホーム画面表示指示受付部２４、ホーム画面表示制御部２５、記録データ記憶制御部２６、記録データ記憶指示受付部２７、デフォルト画面構成部２８、及びデフォルト画面表示制御部２９などを備える。これら制御部１１の機能は、記憶部１２に記憶されているコンピュータプログラムを制御部１１のＣＰＵが実行することにより実現される。
【００２１】
図４は、図２に示す記憶部１２の記憶構成例を示す図である。図４において、記憶部１２は、ＯＳ（Operating System：オペレーティングシステム）４１と制御プログラム４２とアプリケーションプログラム４３を記憶する。ＯＳ４１と制御プログラム４２とアプリケーションプログラム４３は、制御部１１のＣＰＵで実行されるコンピュータプログラムである。アプリケーションプログラム４３として、ホーム画面復元アプリケーション４３ａなどがある。ホーム画面復元アプリケーション４３ａが制御部１１のＣＰＵにより実行されることにより、図３に示す各部２１〜２９の機能が実現される。また、アプリケーションプログラム４３として、例えば、ＳＮＳ（Social Networking Service）アプリケーション、電子メールアプリケーション、Ｗｅｂ（ウェブ）ブラウザアプリケーション、画像管理アプリケーション、ゲームアプリケーションなどのコンピュータプログラムが挙げられる。
【００２２】
また。記憶部１２は、データ記憶部として、デフォルト画面情報記憶部４４とＳＩＭ情報記憶部４５などを含む。また、データ記憶部として、例えば、テキストデータ、音声データ、画像（静止画像又は動画像）データ、個人データ、ＵＲＬ（Uniform Resource Locator）データなどを格納するデータ記憶部が挙げられる。
【００２３】
次に、図５等を参照して、本実施形態に係る端末装置１の動作を説明する。
【００２４】
はじめに図５を参照して、本実施形態の端末装置１の第１のホーム画面復元に係る動作を説明する。図５は、本実施形態に係る第１のホーム画面復元方法のシーケンスチャートである。第１のホーム画面復元方法は、ＳＩＭ１９が端末装置１に接続された時に該端末装置１に表示するホーム画面の復元の方法である。
【００２５】
（ステップＳ１）利用者が端末装置１にＳＩＭ１９を接続する。
【００２６】
（ステップＳ２）端末装置１の制御部１１は、ＳＩＭ１９がＳＩＭ接続部１８に接続されたことに応じて再起動の処理を行う。該再起動の処理において、情報取得部２１、記録データ取得部２２、ホーム画面構成部２３、及び表示部１５などが処理を行う。
【００２７】
（ステップＳ３）情報取得部２１は、ＳＩＭ接続部１８に接続されたＳＩＭ１９からＩＭＳＩを取得する。情報取得部２１は、該ＳＩＭ１９から取得したＩＭＳＩをＳＩＭ情報記憶部４５に格納する。記録データ取得部２２は、該情報取得部２１により取得されたＩＭＳＩを情報管理サーバ３へ送信し、情報管理サーバ３に対して該ＩＭＳＩに対応するホーム画面構成情報記録データを要求する。ホーム画面構成情報記録データは、端末装置１以外の他の端末装置又は端末装置１のホーム画面の画面構成情報の記録データである。
【００２８】
（ステップＳ４）情報管理サーバ３は、端末装置１から受信したＩＭＳＩに基づいて、ホーム画面構成情報記録データを検索する。情報管理サーバ３は、ＩＭＳＩ毎に、ＩＭＳＩに関連付けられたホーム画面構成情報記録データを格納している。情報管理サーバ３は、ホーム画面構成情報記録データの要求元の端末装置１から受信したＩＭＳＩに関連付けられたホーム画面構成情報記録データを該端末装置１へ送信する。端末装置１の記録データ取得部２２は、該情報管理サーバ３から送信されたホーム画面構成情報記録データを受信する。記録データ取得部２２が情報管理サーバ３からホーム画面構成情報記録データを取得した場合には、ステップＳ５に進む。
【００２９】
一方、情報管理サーバ３は、該端末装置１から受信したＩＭＳＩに関連付けられたホーム画面構成情報記録データが存在しない場合には、該端末装置１へその旨を応答する。この場合には図５の処理を終了する。
【００３０】
（ステップＳ５）ホーム画面表示指示受付部２４は、再起動の処理の完了後に、ホーム画面の復元のご案内を示すポップアップ画面を表示部１５により表示させる。利用者が該ポップアップ画面によりホーム画面の復元を指示した場合には、ステップＳ６に進む。一方、利用者が該ポップアップ画面によりホーム画面の復元を指示しなかった場合には、図５の処理を終了する。
【００３１】
（ステップＳ６）記録データ記憶制御部２６は、表示部１５により現在表示中のホーム画面についてのホーム画面構成情報記録データをデフォルト画面情報記憶部４４に格納する。また、ホーム画面構成部２３は、記録データ取得部２２が情報管理サーバ３から取得したホーム画面構成情報記録データに基づいて、ホーム画面を構成する。次いで、ホーム画面表示制御部２５は、該ホーム画面構成部２３が構成したホーム画面を表示部１５により表示させる。
【００３２】
次に図６を参照して、本実施形態の端末装置１の第２のホーム画面復元に係る動作を説明する。図６は、本実施形態に係る第２のホーム画面復元方法のシーケンスチャートである。第２のホーム画面復元方法は、ＳＩＭ１９が端末装置１から外れた時に該端末装置１に表示するホーム画面の復元の方法である。
【００３３】
（ステップＳ１１）利用者が端末装置１からＳＩＭ１９を外す。この外されたＳＩＭ１９に含まれるＩＭＳＩは、情報取得部２１により該ＳＩＭ１９から取得されてＳＩＭ情報記憶部４５に格納済みである。
【００３４】
（ステップＳ１２）記録データ記憶指示受付部２７は、ホーム画面の復元のご案内を示すポップアップ画面を表示部１５により表示させる。利用者が該ポップアップ画面によりホーム画面の復元を指示した場合には、ステップＳ１２に進む。一方、利用者が該ポップアップ画面によりホーム画面の復元を指示しなかった場合には、図６の処理を終了する。
【００３５】
（ステップＳ１３）記録データ記憶制御部２６は、ＳＩＭ情報記憶部４５に格納されている直近のＩＭＳＩと表示部１５により現在表示中のホーム画面についてのホーム画面構成情報記録データを情報管理サーバ３へ送信し、情報管理サーバ３に対して該ホーム画面構成情報記録データの格納を要求する。情報管理サーバ３は、該要求元の端末装置１からＩＭＳＩとホーム画面構成情報記録データを受信し、該受信したＩＭＳＩに関連付けて該受信したホーム画面構成情報記録データを格納する。
【００３６】
なお、端末装置１からＳＩＭ１９が外れた場合、該端末装置１は無線通信ネットワーク２を利用することができない。このため、端末装置１からＳＩＭ１９が外れた場合には、端末装置１は無線ＬＡＮ７を介して情報管理サーバ３にアクセスする。
【００３７】
（ステップＳ１４）端末装置１の制御部１１は、再起動の処理を行う。該再起動の処理において、デフォルト画面構成部２８などが処理を行う。デフォルト画面構成部２８は、デフォルト画面情報記憶部４４に格納されているホーム画面構成情報記録データに基づいて、ホーム画面を構成する。デフォルト画面表示制御部２９は、該デフォルト画面構成部２８が構成したホーム画面を、再起動の処理の完了後に、表示部１５により表示させる。
【００３８】
次に、図７及び図８を参照して、本実施形態のホーム画面構成部２３及びデフォルト画面構成部２８に係るホーム画面構成方法を説明する。図７は、本実施形態に係るホーム画面構成情報記録データ４０の構成例を示す図表である。図８は、本実施形態に係るホーム画面の復元の例の説明図である。ホーム画面構成情報記録データ４０は、端末装置１以外の他の端末装置又は端末装置１のホーム画面の画面構成情報の記録データである。ホーム画面の画面構成情報が記録される端末装置のことを、説明の便宜上、元端末装置と称する。
【００３９】
元端末装置は、例えば、端末装置１の利用者が以前に使用していた端末装置であり、例えば、利用者が端末装置１に機種変更するまで使用していた機種変更前の端末装置が挙げられる。又は、元端末装置は、端末装置１の利用者以外の他者が使用している若しくは使用していた端末装置である。端末装置１の利用者以外の他者として、例えば、端末装置１の利用者の家族や友人などが挙げられる。又は、元端末装置は、利用者が使用している端末装置１である。なお、元端末装置は故障した利用者の端末装置であって、端末装置１は故障修理中に貸与される端末装置であってもよい。
【００４０】
ホーム画面構成情報記録データ４０は、元端末装置のデフォルトのホーム画面についての画面構成情報の記録データであってもよく、又は、元端末装置のデフォルトのホーム画面から変更されたホーム画面についての画面構成情報の記録データであってもよい。
【００４１】
図８において、元端末装置は、表示画面１００を備える。表示画面１００は、例えばタッチパネルの表示画面である。元端末装置の表示画面１００には、ホーム画面１１０が表示される。ホーム画面１１０は、一つ又は複数の画面から構成される。ホーム画面１１０が複数の画面から構成される場合、ホーム画面１１０を構成する各画面は、画面スクロールによって、表示画面１００に表示される。ホーム画面１１０にはアイコンＧが配置される。図８の例では、ホーム画面１１０の一つの画面に６個のアイコンＧが配置されている。なお、図８中のアイコンＧの中には、説明の便宜上、該アイコンＧに対応付けられているアプリケーションの識別情報（アプリケーションＩＤ）を記している。
【００４２】
元端末装置により記録された元端末装置のホーム画面構成情報記録データ４０は、元端末装置の各アプリケーションのアイコンＧのホーム画面１１０における位置を示すアイコン位置情報を含む。図７に示すホーム画面構成情報記録データ４０は、アイコンＧ毎に、アイコンＧのアイコン位置情報と、アイコンＧの画像データ（アイコン画像データ）と、アイコンＧに対応付けられているアプリケーションのアプリケーションＩＤを有する。
【００４３】
図８に示す端末装置１の表示部１５は表示画面２００を備える。表示画面２００は、例えばタッチパネルの表示画面である。表示画面２００には、ホーム画面２１０が表示される。ホーム画面２１０は、一つ又は複数の画面から構成される。ホーム画面２１０が複数の画面から構成される場合、ホーム画面２１０を構成する各画面は、画面スクロールによって、表示画面２００に表示される。ホーム画面２１０にはアイコンＧが配置される。
【００４４】
元端末装置のホーム画面構成情報記録データ４０が記録され、該ホーム画面構成情報記録データ４０が端末装置１に取得された。該ホーム画面構成情報記録データ４０は、図８に示される元端末装置のホーム画面１１０の画面構成情報の記録データである。図８に示される元端末装置のホーム画面１１０には、６個のアイコンＧが配置されている。該６個のアイコンＧのアプリケーションＩＤは、ＩＤ＿１〜６である。図７に示すホーム画面構成情報記録データ４０は、該元端末装置のホーム画面１１０に配置された６個のアイコンＧについての情報を含む。
【００４５】
端末装置１は、取得したホーム画面構成情報記録データ４０に基づいて、ホーム画面２１０を構成する。この結果として、図８に示されるホーム画面２１０が構成された。元端末装置のホーム画面１１０に配置されていたＩＤ＿１及びＩＤ＿２のアイコンＧのアプリケーションは、ホーム画面構成情報記録データ４０に基づいたホーム画面２１０の構成前に既に端末装置１にインストールされていたアプリケーションである。図８に示すホーム画面２１０において、ＩＤ＿１のアイコンＧは、ホーム画面構成情報記録データ４０に含まれるＩＤ＿１のアイコン位置情報で示される位置に配置される。同様にＩＤ＿２のアイコンＧも、図８に示すホーム画面２１０において、ホーム画面構成情報記録データ４０に含まれるＩＤ＿２のアイコン位置情報で示される位置に配置される。これにより、ＩＤ＿１及びＩＤ＿２のアイコンＧは、端末装置１のホーム画面２１０において、元端末装置のホーム画面１１０における位置に対応する位置に配置された。ＩＤ＿１のアイコンＧは、ＩＤ＿１のアプリケーションを起動する機能を実行させるアイコンである。ＩＤ＿２のアイコンＧは、ＩＤ＿２のアプリケーションを起動する機能を実行させるアイコンである。
【００４６】
元端末装置のホーム画面１１０に配置されていたＩＤ＿３のアイコンＧのアプリケーションは、ホーム画面構成情報記録データ４０に基づいたホーム画面２１０の構成時において、端末装置１にインストールされていないアプリケーションである未インストールアプリケーションであった。このため、端末装置１は、第１アプリケーション提供サーバ４又は第２アプリケーション提供サーバ５に対して、ＩＤ＿３のアプリケーションの取得を試みた。この結果、端末装置１は、ＩＤ＿３のアプリケーションを第１アプリケーション提供サーバ４又は第２アプリケーション提供サーバ５から取得し、ＩＤ＿３のアプリケーションをインストールした。図８に示すホーム画面２１０において、ＩＤ＿３のアイコンＧは、ホーム画面構成情報記録データ４０に含まれるＩＤ＿３のアイコン位置情報で示される位置に配置される。これにより、ＩＤ＿３のアイコンＧは、端末装置１のホーム画面２１０において、元端末装置のホーム画面１１０における位置に対応する位置に配置された。ＩＤ＿３のアイコンＧは、ＩＤ＿３のアプリケーションを起動する機能を実行させるアイコンである。
【００４７】
元端末装置のホーム画面１１０に配置されていたＩＤ＿４のアイコンＧのアプリケーションは、ホーム画面構成情報記録データ４０に基づいたホーム画面２１０の構成時において、端末装置１にインストールされていない端末装置１＿未インストールアプリケーションであった。このため、端末装置１は、第１アプリケーション提供サーバ４又は第２アプリケーション提供サーバ５に対して、ＩＤ＿４のアプリケーションの取得を試みた。この結果、端末装置１は、ＩＤ＿４のアプリケーションを取得できなかった。図８に示すホーム画面２１０において、ＩＤ＿４のアイコンＧは、ホーム画面構成情報記録データ４０に含まれるＩＤ＿４のアイコン位置情報で示される位置に配置される。これにより、ＩＤ＿４のアイコンＧは、端末装置１のホーム画面２１０において、元端末装置のホーム画面１１０における位置に対応する位置に配置された。
【００４８】
図８に示す端末装置１のホーム画面２１０に配置されたＩＤ＿４のアイコンＧは、端末装置１にインストールされていないアプリケーションである未インストールアプリケーションのアイコンである。端末装置１のホーム画面２１０において、ＩＤ＿４の未インストールアプリケーションのアイコンは、ホーム画面構成情報記録データ４０のＩＤ＿４のアイコン位置情報で示される位置に配置される。これにより、端末装置１の未インストールアプリケーションのアイコンＧであっても、元端末装置のホーム画面１１０の位置に対応する端末装置１のホーム画面２１０の位置に配置されるので、元端末装置のホーム画面１１０と見た目に類似するホーム画面２１０を端末装置１で復元することができる。
【００４９】
ＩＤ＿４のアイコンＧは、端末装置１の未インストールアプリケーションのアイコンであるので、ＩＤ＿４のアプリケーションをインストールする機能を実行させるアイコンであってもよく、又は、端末装置１に対してインストールが制限されているＩＤ＿４のアプリケーションの該制限を解除するための機能を実行させるアイコンであってもよい。
【００５０】
また、端末装置１の未インストールアプリケーションのアイコンの表示態様を、端末装置１にインストールされているアプリケーションであるインストール済みアプリケーションのアイコンの表示態様とは異なるようにしてもよい。アイコンの表示態様には、アイコンの画像の透過度、アイコンの画像の形状、及び、アイコンの画像の色が含まれる。例えば、端末装置１のインストール済みアプリケーションのアイコンの画像の透過度を０（透過なし）にし、端末装置１の未インストールアプリケーションのアイコンの画像の透過度をそれよりも高い値例えば５０％にしてもよい。
【００５１】
元端末装置のホーム画面１１０に配置されていたＩＤ＿５のアイコンＧのアプリケーションは、端末装置１では動作しないアプリケーションであった。但し、端末装置１には、ＩＤ＿５のアプリケーションに類似する機能を有するＩＤ１１のアプリケーションがインストールされていた。端末装置１のホーム画面２１０において、ＩＤ＿１１のアプリケーションのアイコンＧは、類似する機能を有する複数のアプリケーションのアプリケーションＩＤの組の情報に基づいて、ホーム画面構成情報記録データ４０のＩＤ＿５のアイコン位置情報で示される位置に配置される。これにより、図８に示すホーム画面２１０において、ＩＤ＿１１のアプリケーションのアイコンＧは、元端末装置のホーム画面１１０におけるＩＤ＿５のアプリケーションのアイコンＧの位置に対応する位置に配置された。ＩＤ＿１１のアイコンＧは、ＩＤ＿５のアプリケーションと類似する機能を有するＩＤ＿１１のアプリケーションを起動する機能を実行させるアイコンである。なお、類似する機能を有する複数のアプリケーションのアプリケーションＩＤの組の情報は、予め端末装置１が有してもよく、又は、外部の装置例えば第１アプリケーション提供サーバ４又は第２アプリケーション提供サーバ５から端末装置１が取得してもよい。
【００５２】
元端末装置のホーム画面１１０に配置されていたＩＤ＿６のアイコンＧのアプリケーションは、端末装置１で起動することが制限されたアプリケーションであった。このため、ＩＤ＿６のアイコンＧはその他フォルダに格納される。また、端末装置１のインストール済みアプリケーションのうちＩＤ＿１２のアプリケーションは、ホーム画面構成情報記録データ４０の中にアイコン位置情報が無かった。このため、ＩＤ＿１２のアイコンＧはその他フォルダに格納される。図８に示すホーム画面２１０には、ＩＤ＿６のアイコンＧとＩＤ＿１２のアイコンＧが格納されたその他フォルダのアイコンＧが配置される。
【００５３】
上述した実施形態によれば、元端末装置のホーム画面１１０と見た目に類似するホーム画面２１０を端末装置１で復元することができる。これにより、端末装置１に表示されるホーム画面を復元する際に復元感の向上を図る効果が得られる。また、利用者が、例えば機種変更後の端末装置１のホーム画面に違和感を覚えたり、又は、機種変更後の端末装置１に慣れるまでに時間が掛ったりすることを防いだりする効果が得られる。
【００５４】
また、ＳＩＭ１９が端末装置１に接続されることにより、該ＳＩＭ１９のＩＭＳＩに関連付けられたホーム画面構成情報記録データ４０に基づいたホーム画面を、該端末装置１で復元することができる。また、ＳＩＭ１９が端末装置１から外されることにより、該端末装置１に表示されていたホーム画面のホーム画面構成情報記録データ４０を該ＳＩＭ１９のＩＭＳＩに関連付けて記録することができる。また、ＳＩＭ１９が端末装置１から外されることにより、該端末装置１のデフォルト画面情報記憶部４４に格納されているホーム画面構成情報記録データ４０に基づいたホーム画面を、該端末装置１で復元することができる。これにより、例えば、利用者が使用する端末装置を変更する際に、端末装置に対してＳＩＭを接続したり又は外したりすることにより、変更後の端末装置のホーム画面を元端末装置のホーム画面と見た目に類似するものにすることができるので、使い勝手がよい。
【００５５】
以上、本発明の実施形態について図面を参照して詳述してきたが、具体的な構成はこの実施形態に限られるものではなく、本発明の要旨を逸脱しない範囲の設計変更等も含まれる。
【００５６】
例えば、元端末装置のホーム画面構成情報記録データ４０は、情報管理サーバ３に格納されてもよく、又は、情報記憶媒体１７に格納されてもよい。
【００５７】
また、上述の実施形態では、ＳＩＭ１９に含まれるＩＭＳＩに関連付けてホーム画面構成情報記録データ４０を記録したが、ＩＭＳＩ以外の識別情報に関連付けてホーム画面構成情報記録データ４０を記録してもよい。例えば、ＩＭＥＩ（International Mobile Equipment Identity；国際移動体装置識別番号）等の端末装置の識別情報に関連付けてホーム画面構成情報記録データ４０を記録してもよい。又は、ホーム画面構成情報記録データの管理サービスに使用される利用者識別情報等の利用者の識別情報に関連付けて、ホーム画面構成情報記録データ４０を記録してもよい。
【００５８】
また、上述の実施形態では、ホーム画面構成情報記録データ４０はアイコン画像データを含むが、アイコン画像データをホーム画面構成情報記録データ４０に含めず、端末装置１がアプリケーションＩＤに基づいてアイコン画像データを取得してもよい。例えば、端末装置１は、第１アプリケーション提供サーバ４又は第２アプリケーション提供サーバ５からアイコン画像データを取得してもよい。又は、端末装置１が予めアイコン画像データを初期データファイルに保持してもよい。
【００５９】
また、端末装置１は、有線の通信ネットワークを介して他の装置と通信を行うものであってもよい。この場合、端末装置１は、無線又は有線の通信ネットワークを介して、情報管理サーバ３、第１アプリケーション提供サーバ４及び第２アプリケーション提供サーバ５にアクセスする。
【００６０】
また、上述した端末装置１の機能を実現するためのコンピュータプログラムをコンピュータ読み取り可能な記録媒体に記録して、この記録媒体に記録されたプログラムをコンピュータシステムに読み込ませ、実行するようにしてもよい。なお、ここでいう「コンピュータシステム」とは、ＯＳや周辺機器等のハードウェアを含むものであってもよい。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disk）等の可搬媒体、コンピュータシステムに内蔵されるハードディスク等の記憶装置のことをいう。
【００６１】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００６２】
１…端末装置、２…無線通信ネットワーク、３…情報管理サーバ、４…第１アプリケーション提供サーバ、５…第２アプリケーション提供サーバ、６…インターネット、７…無線ＬＡＮ、１１…制御部、１２…記憶部、１３…通信部、１４…操作部、１５…表示部、１６…接続部、１７…情報記憶媒体、１８…ＳＩＭ接続部、１９…ＳＩＭ、２１…情報取得部、２２…記録データ取得部、２３…ホーム画面構成部、２４…ホーム画面表示指示受付部、２５…ホーム画面表示制御部、２６…記録データ記憶制御部、２７…記録データ記憶指示受付部、２８…デフォルト画面構成部、２９…デフォルト画面表示制御部、４０…ホーム画面構成情報記録データ、４１…ＯＳ、４２…制御プログラム、４３…アプリケーションプログラム、４３ａ…ホーム画面復元アプリケーション、４４…デフォルト画面情報記憶部、４５…ＳＩＭ情報記憶部、１００，２００…表示画面、１１０，２１０…ホーム画面、Ｇ…アイコン
【図１】
2017050808.tif 000003
【図２】
2017050808.tif 000004
【図３】
2017050808.tif 000005
【図４】
2017050808.tif 000006
【図５】
2017050808.tif 000007
【図６】
2017050808.tif 000008
【図７】
2017050808.tif 000009
【図８】
2017050808.tif 000010